(57)【要約】【課題】閉鎖されたシャッターに対し、バールなどの用具を用いて座板の下面から強引にシャッターカーテンを持上げようとしても、持ち上がらないようにして防犯効果を確保することを課題とする。【解決手段】シャッターカーテン３の最下部が建物開口部の全閉位置で着床した際、その降下を停止して吊下されたシャッターカーテン３の自重降下を規制する第１の制御手段と、上記第１の制御手段でシャッターカーテン３の全閉作動が正常に行われた後に、外力によるシャッターカーテン３最下部の持上げを検出した際、その検出信号に基づいてシャッターカーテン３の自重降下規制を解除する第２の制御手段とを有して構成した。【選択図】図４
2005207175.tif 000002
【特許請求の範囲】
【請求項１】
建物開口部の左右両側に立設したガイドレールに、複数のスラットを屈曲自在に連結してなるシャッターカーテンの両端部を昇降案内して上記開口部を開閉するように構成したシャッター装置において、
上記シャッターカーテンの最下部が建物開口部の全閉位置で着床した際、その降下を停止して吊下されたシャッターカーテンの自重降下を規制する第１の制御手段と、
上記第１の制御手段でシャッターカーテン全閉作動が正常に行われた後に、外力によるシャッターカーテン最下部の持上げを検出した際、その検出信号に基づいてシャッターカーテンの自重降下規制を解除する第２の制御手段と、
を有して構成されていることを特徴とするシャッター装置におけるシャッターカーテンの持上げ防止装置。
【請求項２】
前記各ガイドレールには、その下端部近傍の屋内側に位置して、出没自在な突杆をガイドレール内のシャッターカーテン端部に水平状に貫通させて施錠を行う施錠機構がそれぞれ併設されており、全閉状態で着床したシャッターカーテン最下部の外力による持上げを、上記施錠機構の施錠操作で突出する突杆の上方への微動変化で検出し、シャッターカーテンの自重降下規制を解除するように第２の制御手段が構成されていることを特徴とする請求項１記載のシャッター装置におけるシャッターカーテンの持上げ防止装置。
【請求項３】
前記第１の制御手段には、シャッターカーテンの最下部が建物開口部の全閉位置で着床した際に、これを検出する下限リミットスイッチが含まれ、シャッターカーテンの全閉作動が正常に行われた後に、外力により持上げられたシャッターカーテン最下部の上方への微動変化を上記下限リミットスイッチで検出し、前記第２の制御手段に含まれる検出子として、当該下限リミットスイッチを兼用させたことを特徴とする請求項１記載のシャッター装置におけるシャッターカーテンの持上げ防止装置。
【発明の詳細な説明】
【技術分野】
【０００１】
本発明は、建物開口部を開閉するシャッター装置に係り、詳しくは、全閉状態のシャッターカーテンに対し、外部からバールのような用具を使用して、強引に座板部の下面からシャッターカーテンを持上げようとすると、建物開口部に吊下されたシャッターカーテンの自重降下規制が解除されて、その重量が下方に掛かるように構成することにより、シャッターの防犯効果を確保することができるシャッター装置のおけるシャッターカーテンの持上げ防止装置に関するものである。
【背景技術】
【０００２】
この種シャッターには、重量シャッターと軽量シャッターの区別があり、また駆動装置の有無によって電動式シャッターと手動式シャッターとに区別される。しかし、シャッターの最大使命は、シャッターカーテンの全閉状態を維持して防犯効果を確保する点にある。
【０００３】
そこで、一般用途向け軽量シャッターの分野では、通常のシャッター開閉時には、シャッターカーテンの自重降下により、昇降動作に支障を来すことがないと共に、シャッターの全閉状態では、シャッターカーテンを下から持上げようとしても、持ち上がらないようにして防犯効果を確保するように構成した電動シャッターの安全装置が提案されている。
【特許文献１】実用新案登録第２５２５９２１号
【０００４】
上記特許文献１のものは、シャッターカーテンを構成するスラット、パネル等のカーテン片間に屈折可能なロック部材で連結し、該ロック部材の屈折箇所にロック爪を設け、閉鎖時のシャッターを持上げようとすると、このロック爪がガイドレール内に設けたフック部に係止されて、シャッターの開放を阻止するようにしたものである。
【０００５】
一方、工場や大型施設等の比較的開口幅が大きい建物開口部には、剛性が高く遮蔽および防犯性能を向上させた重量シャッター装置が採用されるが、この種の重量シャッター装置では、シャッターカーテンの総重量が大となるため、シャッターの全閉状態では、シャッターカーテンを下から持上げようとしても人の手では到底上げることができず防犯上の優位性があるものの、自重降下で建物開口部を全閉状態にした際に、長期に亘る全閉、全開の繰り返しで自重降下の重みにより、スラット間のインターロック部やガイドレールの変形、破損が往々にして生じてしまい、そのため、従来は全閉状態に達した後に巻取りドラムの自由回転をブレーキ装置で制動したり、回転停止した開閉機の回転駆動軸をクラッチ機構を介して制動する、等の手段を用いて、建物開口部に吊下したシャッターカーテンの自重降下を、建物開口部が全閉状態となった時点で規制するようにしていた。
【０００６】
しかしながら近年では、上述のような重量シャッター装置を採用した建物開口部に対しても、悪意ある部外者がバールを用いて座板と床面との僅かな隙間にバールを差し込み、ある程度座板が持ち上げられて隙間が大きくなった時点で、ジャッキアップ装置を床面との隙間に挟み込み、機械力によるシャッターカーテンの持ち上げで建物内部に侵入しようとする事件が起きており、当業者の間では、このような従来構成の重量シャッター装置における防犯機能の確保に関して種々の検討、試案がなされているのが実状である。
【発明の開示】
【発明が解決しようとする課題】
【０００７】
本発明は、上記のような実状に鑑み、乱暴かつ大掛かりな手段を用いる悪意ある部外者の侵入行為に対して、より一層の防犯効果を高めたシャッター装置を追究する研究、開発の過程で創案されたものであって、その意図するところは、通常時は、建物開口部に吊下されるシャッターカーテンの自重降下を規制して、自重降下の重みによるシャッターカーテンやガイドレールの変形、破損を未然に防止しつつ、全閉状態を維持するシャッターカーテン最下部が持上がった場合には、自重降下の規制を解除してシャッターカーテンの重量がその最下部にかかるように構成し、シャッターカーテンの持上げに対する防犯効果を著しく向上させることができるシャッター装置におけるシャッターカーテンの持上げ防止装置を提供することを課題とするものである。
【課題を解決するための手段】
【０００８】
上記課題を解決するため、本発明が採用した第１の技術手段は、建物開口部の左右両側に立設したガイドレールに、複数のスラットを屈曲自在に連結してなるシャッターカーテンの両端部を昇降案内して上記開口部を開閉するように構成したシャッター装置において、  上記シャッターカーテンの最下部が建物開口部の全閉位置で着床した際、その降下を停止して吊下されたシャッターカーテンの自重降下を規制する第１の制御手段と、上記第１の制御手段でシャッターカーテン全閉作動が正常に行われた後に、外力によるシャッターカーテン最下部の持上げを検出した際、その検出信号に基づいてシャッターカーテンの自重降下規制を解除する第２の制御手段とを有して構成されていることを特徴とするものである。
【０００９】
本発明が採用した第２の技術手段は、前記各ガイドレールには、その下端部近傍の屋内側に位置して、出没自在な突杆をガイドレール内のシャッターカーテン端部に水平状に貫通させて施錠を行う施錠機構がそれぞれ併設されており、全閉状態で着床したシャッターカーテン最下部の外力による持上げを、上記施錠機構の施錠操作で突出する突杆の上方への微動変化で検出し、シャッターカーテンの自重降下規制を解除するように第２の制御手段が構成されていることを特徴とするものである。
【００１０】
本発明が採用した第３の技術手段は、前記第１の制御手段には、シャッターカーテンの最下部が建物開口部の全閉位置で着床した際に、これを検出する下限リミットスイッチが含まれ、シャッターカーテンの全閉作動が正常に行われた後に、外力により持上げられたシャッターカーテン最下部の上方への微動変化を上記下限リミットスイッチで検出し、前記第２の制御手段に含まれる検出子として、当該下限リミットスイッチを兼用させたことを特徴とするものである。
【発明の効果】
【００１１】
したがって本発明によれば、シャッターの閉鎖状態でバール、ジャッキアップ装置などの用具でシャッターカーテンを座板部の下面から持上げた際、これを検知してシャッターカーテンの自重降下規制が解除されて、それに伴って自重降下しようとするシャッターカーテンの重量が、当該シャッターカーテン最下部に掛かり、シャッターカーテンの持上げが困難となって、悪意ある部外者に対して建物内部への侵入をあきらめさせることができる。
【発明を実施するための最良の形態】
【００１２】
全閉状態を維持するシャッターカーテン最下部の持上げを検出したら、自重降下の規制を解除するようにした。
【実施例１】
【００１３】
本発明の実施例を添付図面に基づいて詳細に説明する。
図１および図２において、１は建物開口部に設置されたシャッター装置であって、該シャッター装置１は、開口部の上部に設置したシャッターケース２内の巻取りドラム（図示せず）に、複数のスラット３ａ、３ａ…を上下方向に屈曲自在に連結してなるシャッターカーテン３を巻装し、建物開口部の左右両側に立設したガイドレール４、４に当該シャッターカーテン３の両端部を昇降案内させて開口部を開閉し、全閉位置でシャッターカーテン３の最下部に設けた座板５が着床した際、上記ガイドレール４、４内の最下端に位置して離間対向する送信部６ａおよび受信部６ｂからなる光電スイッチで構成された下限リミットスイッチ６が、シャッターカーテン３の最下部に位置する両端部により送受光が遮られてオフ動作に切り替わり、これにより巻取りドラムの繰り出し回転作動が停止されると共に、図示しない制動機構により当該巻取りドラムの自由回転が制動されて、建物開口部に吊下したシャッターカーテン３の自重降下が規制されるように構成されている。
【００１４】
また上記各ガイドレール４、４には、図３に示すように、その下端部近傍の屋内側Ａに位置して、出没自在な突杆７をガイドレール４内に吊下されたスラット３ａ´端部の係止孔８に水平状に貫通させて施錠を行う施錠機構９がそれぞれ併設されており、全閉状態で着床したシャッターカーテン３の外力による持上げを、上記施錠機構９の施錠操作で突出する突杆７で防止するようになっている。上記突杆７の出没駆動は、突杆７の長手方向に形成したラックギヤ１０と、その近傍に立姿状に配設した駆動モータ１１のピニオンギヤ１２を噛合させて、該駆動モータ１１の正逆回転駆動により行われる。
【００１５】
上記突杆７の出没駆動制御は、当該突杆７の後端部の上下に一体形成した凸状カム部１３ａ、凹状カム部１３ｂと、これらの外形に倣うアクチュエータ１４ａ、１５ａをそれぞれ備えたマイクロスイッチ１４、１５のオンオフ切替信号を、図示しない制御部に送出して上記突杆７の出没移動距離に連繋する駆動モータ１１の正逆回転駆動を制御することにより行われる。
【００１６】
一方、上記施錠機構９を屋内側Ａからガイドレール４、４の外面に取り付ける取付ブラケット１６には、ガイドレール４の内面に位置して近接スイッチ１７が突杆７の上面に近接して設けられており、当該近接スイッチ１７により突杆７の上方への微動変化を検出するようになっている。
【００１７】
叙上の如き構成において、建物開口部の通常の閉鎖を行う場合に、図示しない閉鎖釦を操作すると、巻取りドラムに巻装されているシャッターカーテン３がシャッターケース２内から繰り出されて、その両端部が左右両側のガイドレール４、４に案内されて下降を開始すると共に、上記シャッターカーテン３の最下部に位置する座板５が着床した時点で、各ガイドレール４、４内の最下端に位置して設けた下限リミットスイッチ６がオフに切り替わり、図示しない制御部に送出された当該下限リミットスイッチ６のオフ信号により、巻取りドラムの繰り出し回転作動が停止されると同時に、当該巻取りドラムの自由回転が制動されて、建物開口部に吊下されたシャッターカーテン３は、その自重降下が規制された状態、すなわち座板５にシャッターカーテン３の総重量が掛からない吊り下げ状態を維持して建物開口部を全閉することになる。そして、上記シャッターカーテン３の全閉作動が完了した時点で、図示しない制御部からの施錠信号を受けて施錠機構９の突杆７が突出し、スラット３ａ´に設けた係止孔８に嵌入してシャッター装置１の施錠がなされる。
【００１８】
このようなシャッターカーテン３による建物開口部の全閉状態で、図４に示すように、悪意ある部外者がバール１８を用いて屋外側Ｂから建物内部に侵入しようとして、座板５の下面と床面との僅かな隙間にバール１８の先端を進入させると、座板５が図示のように傾動して、この傾動変化が当該座板５の上位に連結されたスラット３ａの上動変化を誘発し、これに続く係止孔８を設けたスラット３ａ´も僅かに上動することになる。
【００１９】
そして、さらに上記バール１８先端の進入が進行すると、スラット３ａおよびスラット３ａ´の上動変化（上向き矢印の方向）が大となり、上動する当該スラット３ａ´の係止孔８に嵌入していた突杆７にも上方への押し上げ力が作用して、水平状に突出する突杆７が上方へ微動変化し、この微動変化を突杆７の上面に近接して設けられた近接スイッチ１７が検出した時点で、当該近接スイッチ１７からの検出信号が制御部に送出され、図示しない制動機構により制動されていた巻取りドラムが自由回転状態に切り替わり、建物開口部に吊下したシャッターカーテン３の自重降下規制が解除され、これに伴って自重降下しようとする当該シャッターカーテン３の重量が下方に掛かり、バール１８を用いた人力によるシャッターカーテン３の持上げはそれ以上は不可能となる。
【００２０】
したがって、ある程度床面と座板との間の隙間を必要とするジャッキアップ装置の挟み込みが実質的に困難となって、当該ジャッキアップ装置の機械力によるシャッターカーテンの持ち上げに至る前に、悪意ある部外者は建物内部への侵入をあきらめざるを得ない状態に陥り、シャッター装置１の防犯効果を大幅に高めることができる。
【実施例２】
【００２１】
上記実施例１では、施錠機構９を構成する突杆７の突出状態において、その上方への微動変化を近接スイッチ１７で検出するように構成したが、シャッターカーテン３の最下部に設けた座板５が着床した際に、ガイドレール４、４内で最下部に位置するシャッターカーテン３の両端部により送受光が遮られてオフ動作に切り替わる下限リミットスイッチ６を上記近接スイッチ１７に代えて兼用する構成としてもよい。
【００２２】
すなわち、座板５の下面と床面との僅かな隙間にバール１８の先端を進入させたことにより、ガイドレール４、４内に呑み込まれているシャッターカーテン３の端部が浮き上がって、上記下限リミットスイッチ６を構成する送信部６ａおよび受信部６ｂの送受光路の遮断状態が導通状態に復帰することを利用して、これを検出信号として制御部に送出すれば、実施例１の施錠機構９の構成に限定されることなく、同様の制御動作が可能となって多種多様なシャッター装置に広範囲に適用することが可能となる。
【図面の簡単な説明】
【００２３】
【図１】スラットで構成されたシャッター装置の閉鎖状態を示す全体正面図
【図２】他の実施例を示すものであって、（ａ）は施錠機構の一部省略要部拡大正面図（ｂ）は同上横断面図
【図３】（ａ）はシャッターカーテンの解錠状態を示す要部縦断面図（ｂ）はシャッターカーテンの施錠状態を示す要部縦断面図
【図４】バールの進入により施錠されたシャッターカーテンの自重降下規制が解除された状態を示す要部縦断面図
【符号の説明】
【００２４】
４      ガイドレール
３ａ    スラット
３      シャッターカーテン
１      シャッター装置
Ａ      屋内側
７      突杆
９      施錠機構
６      下限リミットスイッチ
【図１】
2005207175.tif 000003
【図２】
2005207175.tif 000004
【図３】
2005207175.tif 000005
【図４】
2005207175.tif 000006